(57)【要約】【課題】強度が向上されたレンズ鏡筒を提供する。【解決手段】本発明のレンズ鏡筒１００は、レンズＬ１を保持するレンズ保持枠６０と、光量を調整する光量調節部材７０と、前記光量調節部材７０を、前記レンズ保持枠６０から離間するように付勢するバネ部材６２と、前記バネ部材６２の伸びを制限し、前記光量調節部材７０の、前記レンズ保持枠６０に対する最大離間位置を規定する位置決め部材５５と、を備えるレンズ鏡筒１００であって、前記位置決め部材５５は、前記レンズ鏡筒１００内に設けられた筒状部材５０を補強する円環状部材であること、を特徴とする。【選択図】図１
2013186158.tif 000002
【特許請求の範囲】
【請求項１】
レンズを保持するレンズ保持枠と、
光量を調整する光量調節部材と、
前記光量調節部材を、前記レンズ保持枠から離間するように付勢するバネ部材と、
前記バネ部材の伸びを制限し、前記光量調節部材の、前記レンズ保持枠に対する最大離間位置を規定する位置決め部材と、を備えるレンズ鏡筒であって、
前記位置決め部材の一部は、前記レンズ鏡筒内に設けられた筒状部材を補強する円環状部材であること、
を特徴とするレンズ鏡筒。
【請求項２】
請求項１に記載のレンズ鏡筒であって、
該レンズ鏡筒は、撮影状態と、該撮影状態よりも光軸方向の長さが短縮された収納状態とを有し、
前記レンズ保持枠、前記光量調節部材及び前記位置決め部材は、２組設けられており、
光軸に沿って被写体側から第１レンズ保持枠、第１光量調節部材、第２光量調節部材、第２レンズ保持枠が配置され、
前記撮影状態から前記収納状態へ移行する際、前記第１光量調節部材は、前記第２光量調節部材側に移動し、前記バネ部材を介し又は直接当接して、前記第２光量調節部材によって押圧されること、
を特徴とするレンズ鏡筒。
【請求項３】
請求項１または２に記載のレンズ鏡筒であって、
前記位置決め部材の一部は、前記レンズ保持枠を保持する筒部材の内周側に植設されていること、
を特徴とするレンズ鏡筒。
【請求項４】
請求項１または２に記載のレンズ鏡筒であって、
前記位置決め部材の一部は、前記レンズ保持枠の外周をスライドする円環状部材であって、
前記位置決め部材はさらに、前記レンズ保持枠の外周側に設けられた、前記一部の位置決めするための位置決め突起を備えること、
を特徴とするレンズ鏡筒。
【請求項５】
請求項２に記載のレンズ鏡筒であって、
第１位置決め部材の一部は、前記レンズ保持枠を保持する筒部材の内周側に植設され、
第２位置決め部材の一部は、前記レンズ保持枠の外周をスライドする円環状部材であって、
前記第２位置決め部材はさらに、前記レンズ保持枠の外周側に設けられた、前記一部を位置決めするための位置決め突起を備え、
前記バネ部材は、前記第１バネ部材と前記第２バネ部材との２つ設けられており、
前記第１バネ部材は、前記第１レンズ保持枠と、第１光量調節部材との間に配置され、
前記第２バネ部材は、前記第１バネ部材の付勢力より大きく、第２レンズ保持枠と第２光量調節部材との間に配置され、
前記レンズ鏡筒の撮影状態から収納状態への移行時において、
前記第１光量調節部材が前記第２光量調節部材側に移動して該第２光量調節部材と当接すると、該第１光量調整部材は前記第２光量調節部材によって押圧され、
該前記第２光量調節部材の押圧による前記第１バネ部材の収縮によって、前記第１光量調節部材と前記第１レンズ保持枠との距離が短縮され、
前記第１位置決め部材が前記第２光量調節部材と当接すると、前記第２光量調節部材は該第１位置決め部材によって像側に押圧されて、レンズ鏡筒の短縮が行われること、
を特徴とするレンズ鏡筒。
【請求項６】
請求項２から４のいずれか１項に記載のレンズ鏡筒であって、
該レンズ鏡筒は、撮影状態と、該撮影状態よりも光軸ＯＡ方向の長さが短縮された収納状態とを有し、
前記レンズ保持枠、前記光量調節部材、前記位置決め部材、２組設けられており、
光軸に沿って被写体側から第１レンズ保持枠、第１光量調節部材、第２光量調節部材、第２レンズ保持枠が配置され、
前記バネ部材は、前記第１光量調節部材と第２光量調節部材との間を付勢していること、
を特徴とするレンズ鏡筒。
【請求項７】
請求項１から６のいずれか１項に記載のレンズ鏡筒を備えるカメラ。
【発明の詳細な説明】
【技術分野】
【０００１】
本発明は、レンズ鏡筒及びカメラに関するものである。
【背景技術】
【０００２】
従来、レンズ鏡筒の先端に補強部材が取り付けられているレンズ鏡筒がある（例えば、特許文献１参照）。
【先行技術文献】
【特許文献】
【０００３】
【特許文献１】特開２００９−１５７２４５号公報
【発明の概要】
【発明が解決しようとする課題】
【０００４】
しかし、上記の従来のレンズ鏡筒の補強部材は補強のための専用部材であり、当該補強部材を設けることで、部品点数の増加や構造が複雑化するという問題がある。
【０００５】
本発明の課題は、専用の補強部材を設けることなく、強度が向上されたレンズ鏡筒及びカメラを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、レンズ（Ｌ１，Ｌ２）を保持するレンズ保持枠（６０，８０）と、光量を調整する光量調節部材（７０，９０）と、前記光量調節部材（７０，９０）を、前記レンズ保持枠（６０，８０）から離間するように付勢するバネ部材（６２，８３，６２’’）と、前記バネ部材（６２，８３，６２’’）の伸びを制限し、前記光量調節部材（７０，９０）の、前記レンズ保持枠（６０，８０）に対する最大離間位置を規定する位置決め部材（５５，７１ａ，９４，８２）と、を備えるレンズ鏡筒（１００，１００’’）であって、前記位置決め部材（５５，７１ａ，９４，８２）の一部（５５，９４）は、前記レンズ鏡筒（１００，１００’’）内に設けられた筒状部材（５０，８０）を補強する円環状部材であるレンズ鏡筒（１００，１００’’）である。
請求項２に記載の発明は、請求項１に記載のレンズ鏡筒（１００，１００’’）であって、該レンズ鏡筒（１００，１００’’）は、撮影状態と、該撮影状態よりも光軸方向の長さが短縮された収納状態とを有し、前記レンズ保持枠（６０，８０）、前記光量調節部材（７０，９０）及び前記位置決め部材（５５，７１ａ，９４，８２）は、２組設けられており、光軸に沿って被写体側から第１レンズ保持枠（６０）、第１光量調節部材（７０）、第２光量調節部材（９０）、第２レンズ保持枠（８０）が配置され、前記撮影状態から前記収納状態へ移行する際、前記第１光量調節部材（７０）は、前記第２光量調節部材（９０）側に移動し、前記バネ部材（６２，８３，６２’’）を介し又は直接当接して、前記第２光量調節部材（９０）によって押圧されること、を特徴とするレンズ鏡筒（１００，１００’’）である。
請求項３に記載の発明は、請求項１または２に記載のレンズ鏡筒（１００，１００’’）であって、前記位置決め部材（５５，７１ａ）の一部（５５）は、前記レンズ保持枠（６０）を保持する筒部材（５０）の内周側に植設されていること、を特徴とするレンズ鏡筒（１００，１００’’）である。
請求項４に記載の発明は、請求項１または２に記載のレンズ鏡筒（１００，１００’’）であって、前記位置決め部材（９４，８２）の一部（９４）は、前記レンズ保持枠（８０）の外周をスライドする円環状部材であって、前記位置決め部材（９４，８２）はさらに、前記レンズ保持枠（８０）の外周側に設けられた、前記一部（９４）の位置決めするための位置決め突起（８２）を備えること、を特徴とするレンズ鏡筒（１００，１００’’）である。
請求項５に記載の発明は、請求項２に記載のレンズ鏡筒（１００）であって、第１位置決め部材（５５，７１ａ）の一部（５５）は、前記レンズ保持枠（６０）を保持する筒部材（５０）の内周側に植設され、第２位置決め部材（９４，８２）の一部（９４）は、前記レンズ保持枠（８０）の外周をスライドする円環状部材であって、前記第２位置決め部材（９４，８２）はさらに、前記レンズ保持枠（８０）の外周側に設けられた、前記一部（９４）を位置決めするための位置決め突起（８２）を備え、前記バネ部材（６２，８３）も前記第１バネ部材（６２）と前記第２バネ部材（８３）との２つ設けられており、前記第１バネ部材（６２）は、前記第１レンズ保持枠（６０）と、第１光量調節部材（７０）との間に配置され、前記第２バネ部材（８３）は、前記第１バネ部材（６２）の付勢力より大きく、第２レンズ保持枠（８０）と第２光量調節部材（９０）との間に配置され、前記レンズ鏡筒（１００）の撮影状態から収納状態への移行時において、前記第１光量調節部材（７０）が前記第２光量調節部材（９０）側に移動して該第２光量調節部材（９０）と当接すると、該第１光量調整部材は前記第２光量調節部材（９０）によって押圧され、該前記第２光量調節部材（９０）の押圧による前記第１バネ部材の収縮によって、前記第１光量調節部材（７０）と前記第１レンズ保持枠との距離が短縮され、前記第１位置決め部材（５５）が前記第２光量調節部材（９０）と当接すると、前記第２光量調節部材（９０）は該第１位置決め部材（５５）によって像側に押圧されて、レンズ鏡筒（１００）の短縮が行われること、を特徴とするレンズ鏡筒（１００）である。
請求項６に記載の発明は、請求項２から４のいずれか１項に記載のレンズ鏡筒（１００’’）であって、該レンズ鏡筒（１００’’）は、撮影状態と、該撮影状態よりも光軸ＯＡ方向の長さが短縮された収納状態とを有し、前記レンズ保持枠（６０，８０）、前記光量調節部材（７０，９０）、前記位置決め部材（５５，７１ａ，９４，８２）、２組設けられており、光軸に沿って被写体側から第１レンズ保持枠（６０）、第１光量調節部材（７０）、第２光量調節部材（９０）、第２レンズ保持枠（８０）が配置され、前記バネ部材（６２’’）は、前記第１光量調節部材（７０）と第２光量調節部材（９０）との間を付勢していること、を特徴とするレンズ鏡筒（１００’’）である。
請求項７に記載の発明は、請求項１から６のいずれか１項に記載のレンズ鏡筒（１００，１００’’）を備えるカメラ（１）である。
【０００８】
なお、符号を付して説明した構成は、適宜改良してもよく、また、少なくとも一部を他の構成物に代替してもよい。
【発明の効果】
【０００９】
本発明によれば、強度が向上されたレンズ鏡筒及びカメラを提供することができる。
【図面の簡単な説明】
【００１０】
【図１】本発明の第１実施形態のレンズ鏡筒の撮影状態を示す図である。
【図２】本発明の第１実施形態のレンズ鏡筒の縮筒状態を示す図である。
【図３】比較形態のレンズ鏡筒の撮影状態を示す図である。
【図４】本発明の第２実施形態のレンズ鏡筒の撮影状態を示す図である。
【発明を実施するための形態】
【００１１】
以下、図面等を参照して、本発明の実施形態について説明する。
（第１実施形態）
図１は、本実施形態のレンズ鏡筒１００を備えるカメラ１の縦断面を概念的に示す図であり、撮影待機状態を示す。図２は、レンズ鏡筒１００が縮筒状態（レンズ鏡筒１００がカメラ本体２００に収納された状態、沈胴状態）にあるカメラ１の縦断面を概念的に示す図である。
【００１２】
レンズ鏡筒１００は、例えば、撮影時と非撮影時とで光軸ＯＡ方向の全長が変化するレンズ鏡筒１００である。レンズ鏡筒１００は、撮影時において図１に示すようにカメラ本体２００からその一部が突き出し、非撮影時においては図２に示すように大部分がカメラ本体２００に収容される。
【００１３】
レンズ鏡筒１００は、１群レンズＬ１、２群レンズＬ２、３群レンズＬ３、撮像部１０、固定筒２０、回転筒３０、直進筒４０、１群筒５０、１群保持枠６０、２群保持枠８０、及び、シャッタユニット９０等を備えている。
【００１４】
１群レンズＬ１、２群レンズＬ２、及び、３群レンズＬ３は、３群構成のズームレンズを形成し、光軸ＯＡ方向の被写体側から像面側に向かってこの順番で配置されている。
【００１５】
撮像部１０は、上記レンズ群Ｌ１〜Ｌ３を通過した被写体光を電気信号に変換するＣＣＤやＣＭＯＳ等の光−電気変換素子である。撮像部１０は、３群レンズＬ３の出射側（像面側）に配置されている。撮像部１０は、保持部材１１に配置された基板１２上に固定されている。
【００１６】
固定筒２０は、光軸ＯＡ方向の像面側端部が、カメラ本体２００に固定された筒体である。固定筒２０の内径側にはカム溝２１が設けられている。
【００１７】
回転筒３０は、固定筒２０の内径側に収容された筒体である。
回転筒３０の外周側には、カムピン３１が設けられ、上述のカム溝２１に嵌合している。回転筒３０に対して図示しないＤＣモータよりギア列を介して回転力が伝達されると、回転筒３０は、回転するとともに、カムピン３１がカム溝２１に案内されて光軸ＯＡ方向に進退移動する。
【００１８】
直進筒４０は、回転筒３０と一体的に光軸ＯＡ方向に移動する筒体であり、回転筒３０の内径側に収容されている。
直進筒４０は、固定筒２０の内周面に形成された直進溝２２に挿入される突起４１を備えており、光軸ＯＡ方向への移動時には、当該直進溝２２に案内されて回転動作を伴わずに直進移動をする。
【００１９】
なお、３群レンズＬ３はステッピングモータとリードスクリューにて１群レンズＬ１及び２群レンズＬ２とは独立して光軸ＯＡ方向を移動する。
【００２０】
２群保持枠８０は、２群レンズＬ２を支持する筒体である。２群保持枠８０は、直進筒４０を貫通して回転筒３０の内周面に形成されたカム溝３３に挿入されるカムピン８１を備えており、回転筒３０の回転動作に連動して光軸ＯＡ方向に直進移動する。
２群保持枠８０は第２レンズＬ２を保持する保持筒部８０ａと、保持筒部８０ａから径方向に延びる鍔部８０ｂとを有する。
また、保持筒部８０ａの被写体側の外周には、外径側に向かって、後述する係止突起８２が突設されている。
【００２１】
シャッタユニット９０は、２群レンズＬ２の入射面側に配置されている。シャッタユニット９０は、１〜３群レンズＬ１〜Ｌ３を通過する被写体光の光路を遮蔽する図示しない遮蔽位置と、光路から退避する退避位置との間を移動可能なシャッタ羽根９１を備えている。また、シャッタユニット９０はシャッタ保持枠９２を備える。
【００２２】
シャッタ保持枠９２は２群保持枠８０の外周に嵌合する筒状部９３を有している。筒状部９３の内径側には、像面側から被写体側に延びる直進溝９３ａが設けられている。
直進溝９３ａには、上述の係止突起８２が嵌合している。直進溝９３ａが設けられたシャッタユニット９０は、当該係止突起８２に案内されて２群保持枠８０に対して相対的に光軸ＯＡ方向に進退可能となっている。
【００２３】
シャッタユニット９０は、さらに、直進溝９３ａの像面側端部に、２群側リング９４を備える。当該２群側リング９４も、シャッタユニット９０の他の部分とともに、２群保持枠８０に対して相対的に光軸ＯＡ方向に進退する。
２群側リング９４と、２群保持枠８０の鍔部８０ｂとの間には、２群側バネ８３が取り付けられている。この２群側バネ８３によって、２群側リング９４、すなわちシャッタユニット９０は、２群保持枠８０から離間する方向に付勢されている。
【００２４】
この２群側リング９４（シャッタユニット９０）が、２群側バネ８３によって２群保持枠８０から離間する方向に付勢される際の最大離間位置は、２群側リング９４の被写体側面と係止突起８２とが当接する位置となる。
これにより、撮影時のシャッタユニット９０の２群保持枠８０に対する位置決めが行われる。
【００２５】
１群筒５０は、回転筒３０の内径側に収容された筒体である。
１群筒５０は、回転筒３０に設けられたカム溝３４に案内されるカムピン５３を備えている。１群筒５０の像面側端部の内径側と、２群保持枠８０の被写体側端部の外径側とは、それぞれ溝が形成されて入れ子状に嵌合している。これにより、１群筒５０は、回転筒３０の回転動作に連動して光軸ＯＡ方向に直進移動する。
【００２６】
１群保持枠６０には、１群レンズＬ１が固定され、１群筒５０の内径側に収容されている。
１群保持枠６０の像面側には固定絞り７０が配置されている。
固定絞り７０は、絞り羽根７２と、絞り羽根７２を保持する絞り保持部７１とを備える。また、絞り保持部７１は、筒状部７１ｂと、その被写体側に設けられた径方向外側に延びて１群筒５０に嵌合する嵌合部７１ａと、像面側に設けられた径方向内側に延びる羽根保持部７１ｃとを備える。
嵌合部７１ａは、１群筒５０の内径側に設けられた直進溝５２に嵌合し、当該直進溝５２に沿って直進移動する。この直進溝５２の像面側端部には、１群側リング５５が配置されている。１群側リング５５は、１群筒５０の内面に一部埋め込まれた形で内径側に突設している。
【００２７】
固定絞り７０と１群保持枠６０との間には１群側バネ６２が設けられている。この１群側バネ６２のバネ力は２群側バネ８３よりも弱い。すなわち１群側バネ６２のバネ定数は２群側バネ８３よりも小さい。この１群側バネ６２は、固定絞り７０を１群保持枠６０から離れる方向（像面側）に付勢している。
１群側バネ６２の付勢力によって、固定絞り７０は１群保持枠６０から離れる方向に付勢されるが、固定絞り７０の嵌合部７１ａの像面側端部と、１群側リング５５の被写体側面との当接により、固定絞り７０の１群保持枠６０に対する最大離間距離が規定される。
【００２８】
まず、図１の撮影状態においては、１群レンズＬ１、２群レンズＬ２及び３群レンズＬ３は図示するように、所定距離離間して配置されている。
このとき、固定絞り７０は、１群側バネ６２によって、１群保持枠６０から離れる方向（像面側）に付勢されている。
しかし、固定絞り７０における嵌合部７１ａの像面側には１群側リング５５が配置されているので、固定絞り７０と１群保持枠６０との距離は一定に保持されている。
【００２９】
また、シャッタユニット９０は、２群側バネ８３によって、２群保持枠８０から離れる方向（被写体側）に付勢されている。
しかし、シャッタユニット９０に設けられた２群側リング９４の被写体側には係止突起８２が配置されているので、２群保持枠８０とシャッタユニット９０との距離は一定に保持されている。
【００３０】
レンズ鏡筒１００が、図１に示す撮影状態から図２に示す縮筒状態に移行する際、まず、固定絞り７０がシャッタユニット９０に当接する。そうすると、１群側バネ６２の力が、２群側バネ８３より弱いので、まず、１群側バネ６２が収縮する。それに伴い、固定絞り７０の嵌合部７１ａが直進溝５２に直進移動されて被写体側に相対的にスライドし、１群保持枠６０に固定絞り７０が近づく。
【００３１】
固定絞り７０の嵌合部７１ａが直進溝５２の被写体側端部まで到達すると、固定絞り７０と１群保持枠６０との距離はそれ以上短縮されない。この状態でさらに縮筒して１群筒５０が像面側に移動すると、固定絞り７０が、シャッタユニット９０を押し始める。それに伴い、２群側リング９４は係止突起８２から離れ、係止突起８２に沿って直進溝５２がスライドし、図２の縮筒状態となる。
【００３２】
以上、本実施形態によると、以下の効果がある。
（１）１群側リング５５が、１群筒５０の内面に一部埋め込まれた形で内径側に突設されている。従って、１群筒５０の強度が１群側リング５５により向上されている。例えばカメラ１が、１群レンズＬ１を下にして落下し、被写体側から衝撃を受けた場合であっても、１群筒５０が変形しにくくなり、カムピン５３のカム溝３４からの外れがおきにくくなり、レンズ鏡筒１００の強度が向上する。
また、２群保持枠８０の外周に２群側リング９４がはめ込まれているので、上述のように被写体側から衝撃を受けた場合であっても、２群保持枠８０の変形の可能性が低減される。
【００３３】
これに対して、図３に比較形態を示す。比較形態は、固定絞り７０’が１群保持枠６０’に固定され、シャッタユニット９０’が２群保持枠８０’に固定されている。１群側リング５５及び２群側リング９４及び係止突起８２は設けられていない。
したがって、例えばカメラ１が、上述のように１群レンズＬ１を下にして落下して、被写体側から衝撃を受けた際、１群筒５０’が変形し、カムピン５３’のカム溝３４’からの外れる可能性がある。
また、２群保持枠８０の外周に２群側リング９４が設けられていないので、衝撃を受けた場合であっても、２群保持枠８０が変形する可能性がある。
【００３４】
（２）（１）で述べたように本実施形態でレンズ鏡筒１００の補強部材となる１群側リング５５は、カメラ１が撮影状態にある場合の、固定絞り７０の１群枠６０に対する位置規定部材として機能するものである。また、２群側リング９４も、シャッタユニット９０の２群保持枠８０に対する位置規定部材として機能するものである。したがって、補強専用部材として設けられているものではないため、補強用に新たな部材を追加する必要がない。
【００３５】
（３）比較形態は、固定絞り７０’が１群保持枠６０’に固定され、シャッタユニット９０’が２群保持枠８０’に固定されている。このため、固定絞り７０’と１群保持枠６０’との間、シャッタユニット９０’と２群保持枠８０’との間の距離は一定である。
一方、本実施形態では、縮筒時にも固定絞り７０と１群保持枠６０との間の距離、シャッタユニット９０と２群保持枠８０との間の距離が短縮されるので、縮筒時のレンズ鏡筒１００の長さを短縮させることができる。
【００３６】
（４）さらに、短縮構造の一部である１群側バネ６２と２群側バネ８３とのバネ定数が異なるので、１群保持枠６０に対して固定絞り７０の移動が完了してから、２群保持枠８０に対するシャッタユニット９０の移動を行われ、制御が容易である。
【００３７】
（第２実施形態）
図４は、本発明の第２実施形態のレンズ鏡筒１００’’の撮影状態を示す図である。第１実施形態と同様の部分については、同一の符号を付し、その説明を省略する。
第２実施形態が第１実施形態と異なる点は、１群側バネ６２，２群側バネ８３が設けられておらず、固定絞り７０とシャッタユニット９０との間に、中間バネ６２’’が設けられている点である。この中間バネ６２’’は、図４の撮影状態において、固定絞り７０とシャッタユニット９０とが互いに近づく方向に付勢している。
【００３８】
本実施形態において、図４の撮影状態においては、１群レンズＬ１、２群レンズＬ２及び３群レンズＬ３は図示するように、所定距離離間して配置されている。
このとき、固定絞り７０は、中間バネ６２’’によって、１群保持枠６０から離れる方向（像面側に向かう方向）に付勢されている。しかし、固定絞り７０における嵌合部７１ａの像面側は１群側リング５５が配置されているので、固定絞り７０と１群保持枠６０との距離は一定に保持されている。
【００３９】
また、シャッタユニット９０も、中間バネ６２’’によって、２群保持枠８０から離れる方向（被写体側に向かう方向）に付勢されている。
しかし、シャッタユニット９０に固定された２群側リング９４の被写体側は係止突起８２が配置されているので、２群保持枠８０とシャッタユニット９０との距離は一定に保持されている。
【００４０】
レンズ鏡筒１００’’が、図４に示す撮影状態から縮筒状態に移行する際、まず、中間バネ６２’’が収縮する。そして、中間バネ６２’’が最短長さになると、中間バネ６２’’の像面側端部はシャッタユニット９０に固定されているので、中間バネ６２’’の被写体側に取り付けられている固定絞り７０が押される。
そうすると、嵌合部７１ａが直進溝５２に直進移動されて被写体側にスライドし、固定絞り７０と１群保持枠６０側との距離が短縮される。それとともに、係止突起８２は、２群側リング９４から離れて直進溝５２をスライドして縮筒状態となる。
【００４１】
本実施形態によっても、第１実施形態と同様に、１群側リング５５が、１群筒５０の内面に一部埋め込まれた形で内径側に突設されている。例えばカメラ１が、１群レンズＬ１を下にして落下し、被写体側から衝撃を受けた際、１群側リング５５により１群５０の強度が向上されているので、カムピン５３のカム溝３４からの外れがおきにくくなり、レンズ鏡筒１００の強度が向上する。また、２群保持枠８０の外周に２群側リング９４がはめ込まれているので、上述のように被写体側から衝撃を受けた場合であっても、２群保持枠８０の変形の可能性が低減される。
【００４２】
（変形形態）
以上、説明した実施形態に限定されることなく、以下に示すような種々の変形や変更が可能であり、それらも本発明の範囲内である。
例えば、本実施形態では、レンズ鏡筒内の各筒部材が、カムピンで駆動するように構成したが、これに限定されず、ヘリコイドで駆動されるものであっても良い。
なお、実施形態及び変形形態は、適宜組み合わせて用いることもできるが、詳細な説明は省略する。また、本発明は以上説明した実施形態によって限定されることはない。
【符号の説明】
【００４３】
１：カメラ、５０：１群筒、５５：１群側リング、６０：１群保持枠、６２：１群側バネ、７０：固定絞り、７１：保持部、７１ａ：嵌合部、８０：２群保持枠、８２：係止突起、９４：２群側リング、１００：レンズ鏡筒、２００：カメラ本体
【図１】
2013186158.tif 000003
【図２】
2013186158.tif 000004
【図３】
2013186158.tif 000005
【図４】
2013186158.tif 000006